(57)【要約】【課題】掃除の場所等に応じてモータ内蔵式の吸口を用いる場合、この吸口を接続するための電気掃除機を複数設けなければならず、複数台分の電気掃除機の収納スペースが必要となる。【解決手段】電動送風機及び集塵部を備えた掃除機本体と、該掃除機本体に接続されたホースと、該ホースに接続された手元操作部と、該手元操作部に接続された接続管と、該接続管に接続された吸口と有する電気掃除機において、前記吸口を複数設けると共に、該複数の吸口のそれぞれに、被掃除面に作用する清掃体と、該清掃体を駆動する電気駆動手段とを備え、該複数の吸口はそれぞれ前記接続管に着脱自在に接続した。【選択図】  図１
2010227636.tif 000002
【特許請求の範囲】
【請求項１】
電動送風機及び集塵部を備えた掃除機本体と、前記掃除機本体に接続されたホースと、前記ホースに接続された手元操作部と、前記手元操作部に接続された接続管と、前記接続管に接続された吸口と有する電気掃除機において、
前記吸口は、被掃除面に作用する振動部材と、前記振動部材を駆動する電気駆動手段とを備え、
前記振動部材は、前記被掃除面に対向する当該振動部材の底面に複数の吸引口を有し、
前記吸引口から吸引されたゴミは、前記掃除機本体に搬送されることを特徴とする電気掃除機。
【請求項２】
電動送風機及び集塵部を備えた掃除機本体と、前記掃除機本体に接続されたホースと、前記ホースに接続された手元操作部と、前記手元操作部に接続された接続管と、前記接続管に接続された吸口と有する電気掃除機において、
前記吸口は、被掃除面に作用する振動部材と、前記振動部材を駆動する電気駆動手段とを備え、
前記振動部材は、前記被掃除面に対向する当該振動部材の底面に、長手方向に沿って形成される凹凸部または水平方向に沿って形成される凹凸部またはランダムに形成される凹凸部またはリブを有することを特徴とする電気掃除機。
【請求項３】
電動送風機及び集塵部を備えた掃除機本体と、前記掃除機本体に接続されたホースと、前記ホースに接続された手元操作部と、前記手元操作部に接続された接続管と、前記接続管に接続された吸口と有する電気掃除機において、
前記吸口は、被掃除面に作用する振動部材と、前記振動部材を駆動する電気駆動手段とを備え、
前記振動部材は、ばねによって前記吸口に支持され、
前記振動部材は、前記電気駆動手段の回転にともない、前記ばねの反発力により押し下げられ、下がりきった後に、再び前記電気駆動手段の回転にともない、前記ばねを圧縮することを特徴とする電気掃除機。
【請求項４】
請求項１から３の何れかにおいて、
前記振動部材は、矩形状の箱型をしており、
前記振動部材は、前記吸口の前記被清掃面に向かって開口する開口部に装着されている
ことを特徴とする電気掃除機。
【請求項５】
請求項１から４の何れかにおいて、
前記吸口は、前記接続管に接続される自在継手管を有し、
前記自在継手管は、被清掃面に対して略水平な状態から略垂直な状態まで回動可能であることを特徴とする電気掃除機。
【請求項６】
請求項１から５の何れかにおいて、
前記吸口の底面は、前記吸口に形成される車輪の最下点から２０mm高いことを特徴とする電気掃除機。
【発明の詳細な説明】
【技術分野】
【０００１】
本発明は、電気掃除機に関する。
【背景技術】
【０００２】
電気掃除機は通常使用する床面等を掃除する床用の吸口に加え、掃除する場所等に合わせ、様々なアタッチメントが使用できる。床用の吸口が入れない家具等の隙間掃除には隙間用ノズルを用い、寝具等の掃除には布団用ローラを用いている。このような電気掃除機は、例えば特許文献１（特開２００６−５１１８７号公報）に開示されている。この特許文献１では、吸引管に接続されたアタッチメントの種類を判別し、アタッチメントの種類に応じて掃除機本体に配置された吸引力を発生させるモータの出力を調整するようにしている。
【０００３】
また、吸口のビータを回転させる手段としてモータを配置した電気掃除機は、例えば特許文献２（実開昭６４−８３６０号公報）に開示されている。この特許文献２では、ホース手元部の可変抵抗を調整することにより、ビータを回転させるモータの回転数を変化させて被掃除面の種類に応じた清掃を行うようにしている。
【０００４】
【特許文献１】特開２００６−５１１８７号公報
【特許文献２】実開昭６４−８３６０号公報
【発明の概要】
【発明が解決しようとする課題】
【０００５】
特許文献１に示すものにおいては、使用者は床用の吸口，布団用ローラ，隙間用ノズルを用途に合わせて交換し掃除することが出来る。
【０００６】
近年の電気掃除機は、掃除面の清掃性を向上するために、吸口内に回転清掃体を配置しこの回転清掃体を力の強いモータで駆動する吸口が提案されているが、特許文献１に記載のものにおいては、特に床用の吸口に回転清掃体を配置しこの回転清掃体をモータで駆動すること、布団用ローラをモータで駆動することについては一切考慮されていなかった。
【０００７】
ビータ（回転清掃体）をモータで駆動する吸口として特許文献２のようなものがあるが、この電気掃除機に用いられる吸口は絨毯等の掃除を行う床用の吸口一種類のみであるので、掃除のできる場所等が制限されていた。特許文献２では、複数の吸口を用いて掃除を行う点については一切考慮されていなかった。このため、リビングやキッチン、あるいはトイレなどを掃除した後に同じ吸口で寝具等を掃除することについて、使用者は衛生面上で抵抗があった。
【０００８】
回転清掃体をモータで駆動する吸口は、接続管及びホースに設けられた給電線を介して掃除機本体と電気的に接続され、モータに電力を供給している。モータを内蔵した吸口は接続管と接続することにより、空気流路が形成されると共に、電気的な接続が行われる。このため、掃除の場所等に応じてモータ内蔵式の吸口を用いる場合、この吸口を接続するための電気掃除機を複数設けなければならず、複数台分の電気掃除機の収納スペースが必要となる。
【０００９】
本発明の目的は、被清掃面のほこりやゴミをはく離させやすくすることができ、この状態で、吸口が吸引を行えば集塵性能を向上できる電気掃除機を提供することにある。
または、本発明の目的は、振動部材の底面に凹凸部やリブがあることで、徐々に吸引口が塞がれるため流路を確保しやすい電気掃除機を提供することにある。
または、本発明の目的は、清掃時に振動部材が被清掃面から引かれる力は吸い付き力のみとなり、その吸い付き力はバネの発生する力に比較して十分に小さいため、電気駆動手段がロックしにくい機能を構成でき、電気駆動手段の負荷を低減し、寿命を延ばすことができる電気掃除機を提供することにある。
【課題を解決するための手段】
【００１０】
上記目的を達成するために本発明の特徴とするところは、吸口は、被掃除面に作用する振動部材と、振動部材を駆動する電気駆動手段とを備え、振動部材は、被掃除面に対向する振動部材の底面に複数の吸引口を有し、吸引口から吸引されたゴミは、掃除機本体に搬送されることにある。
または、本発明の特徴とするところは、吸口は、被掃除面に作用する振動部材と、振動部材を駆動する電気駆動手段とを備え、振動部材は、被掃除面に対向する振動部材の底面に、長手方向に沿って形成される凹凸部または水平方向に沿って形成される凹凸部またはランダムに形成される凹凸部またはリブを有することにある。
または、本発明の特徴とするところは、吸口は、被掃除面に作用する振動部材と、振動部材を駆動する電気駆動手段とを備え、振動部材は、ばねによって吸口に支持され、振動部材は、電気駆動手段の回転にともない、ばねの反発力により押し下げられ、下がりきった後に、再び電気駆動手段の回転にともない、ばねを圧縮することにある。
【発明の効果】
【００１１】
本発明によれば、被清掃面のほこりやゴミをはく離させやすくすることができ、この状態で、吸口が吸引を行えば集塵性能を向上できる。
または、本発明によれば、振動部材の底面に凹凸部やリブがあることで、徐々に吸引口が塞がれるため流路を確保しやすい。
または、本発明によれば、清掃時に振動部材が被清掃面から引かれる力は吸い付き力のみとなり、その吸い付き力はバネの発生する力に比較して十分に小さいため、電気駆動手段がロックしにくい機構を構成でき、電気駆動手段の負荷を低減し、寿命を延ばすことができる。
【図面の簡単な説明】
【００１２】
【図１】本発明の一実施例を示す電気掃除機の外観斜視図である。
【図２】図１における手元操作部３の斜視図である。
【図３】本発明の一実施例に係る床用吸口５０の斜視図である。
【図４】本発明の一実施例に係る床用吸口５０の分解斜視図である。
【図５】本発明の一実施例に係る床用吸口５０の電気回路図である。
【図６】本発明の一実施例に係る寝具用吸口１５の斜視図である。
【図７】本発明の一実施例に係る寝具用吸口１５の分解斜視図であり、寝具用吸口の上ケース，前輪，後輪，自在継手管を除いた図である。
【図８】図７における振動子の分解斜視図である。
【図９】図７におけるビータを被掃除面方向から見た斜視図である。
【図１０】本発明の一実施例に係る寝具用吸口１５の電気回路図である。
【図１１】本発明の一実施例に係る寝具用吸口１５の上ケースを除いた平面図である。
【図１２】図１１のＡ−Ａ断面図であり、カム付きギアのカムが上支点であるものである。
【図１３】図１２におけるカム付きギアが１８０゜回転したカムが下支点に達したときの図である。
【発明を実施するための形態】
【００１３】
本発明の目的は、複数の電動式の吸口を用途に合わせて交換でき、掃除の作業性を向上させた電気掃除機を提供することにある。そこで、上記目的を達成するために本発明の特徴とするところは、電動送風機及び集塵部を備えた掃除機本体と、掃除機本体に接続されたホースと、ホースに接続された手元操作部と、手元操作部に接続された接続管と、接続管に接続された吸口体と有する電気掃除機において、吸口体を複数設けると共に、複数の吸口体のそれぞれに、被掃除面に作用する清掃体と、清掃体を駆動する電気駆動手段とを備え、複数の吸口体はそれぞれ接続管に着脱自在に接続したことにある。そして、本発明によれば、複数の電動式の吸口を用途に合わせて交換でき、掃除の作業性を向上させた電気掃除機を提供することができる。
電動送風機及び集塵部を備えた掃除機本体と、掃除機本体に接続されたホースと、ホースに接続された手元操作部と、手元操作部に接続された接続管と、接続管に接続された吸口と有する電気掃除機において、吸口を複数設けると共に、複数の吸口のそれぞれに、被掃除面に作用する清掃体と、清掃体を駆動する電気駆動手段とを備え、複数の吸口はそれぞれ接続管に着脱自在に接続したことを特徴とする。好ましくは、複数の吸口のそれぞれに、接続管と接続する接続部を設けると共に、接続部をほぼ同一の形状に形成した。好ましくは、電気駆動手段は、接続管，手元操作部及びホースに配設された給電線を介して掃除機本体と電気的に接続され、手元操作部には、複数の吸口に設けられた電気駆動手段の運転制御を兼用する第一のスイッチ手段と、電動送風機の運転を制御する第二のスイッチ手段とを設けた。好ましくは、複数の吸口のうち、少なくとも１つの吸口体に備えられた清掃体は回転清掃体であり、電気駆動手段は回転清掃体を回転駆動する電動機である。好ましくは、複数の吸口のうち、少なくとも１つの吸口に備えられた清掃体は振動部材であり、電気駆動手段は振動部材を駆動する電動機である。
【００１４】
本発明の一実施例を以下に示す図を参照して説明する。
【実施例１】
【００１５】
図１は本発明の一実施例を示す電気掃除機の外観斜視図である。図２は図１における手元操作部３の斜視図である。図３は本発明の一実施例に係る床用吸口５０の斜視図である。図４は本発明の一実施例に係る床用吸口５０の分解斜視図である。図５は本発明の一実施例に係る床用吸口５０の電気回路図である。図６は本発明の一実施例に係る寝具用吸口１５の斜視図である。図７は本発明の一実施例に係る寝具用吸口１５の分解斜視図であり、寝具用吸口の上ケース，前輪，後輪，自在継手管を除いた図である。図８は図７における振動子の分解斜視図である。図９は図７におけるビータを被掃除面方向から見た斜視図である。図１０は本発明の一実施例に係る寝具用吸口１５の電気回路図である。図１１は寝具用吸口１５の上ケースを除いた平面図である。図１２は図１１のＡ−Ａ断面図であり、カム付きギアのカムが上支点であるものである。図１３は図１２におけるカム付きギアが１８０゜回転したカムが下支点に達したときの図である。
【００１６】
図１において、１は吸引力を発生させる電動送風機及びこの電動送風機の吸引力で吸い込んだ塵埃を集塵する集塵部を内蔵した掃除機本体である。２は一端が掃除機本体１に接続され、柔軟性を有するホースであり、３は一端がホース２の他端に接続された手元操作部である。４は一端が手元操作部３の他端に接続された接続管であり、５は接続管４の他端に接続される吸口である。吸口５には後述する電動機等の電気駆動手段が内蔵されている。また、ホース２，手元操作部３，接続管４には、吸口５に電気力を供給する給電線（図示せず）が内蔵されている。
【００１７】
また、図１に示す吸口５は、寝具用吸口１５と床用吸口５０と複数設けられており、複数の吸口がそれぞれ接続管４に着脱自在に接続することが出来る。これを実現するために、本実施例では、接続管４と接続され、空気通路を形成する第二の接続管６４の接続部６４ａ（図３及び図５）をほぼ同一の形状に形成して、それぞれ寝具用吸口１５及び床用吸口５０に設けている。さらに、接続管４と接続され、延長管４の給電線と電気的に接続する複数の端子１２（図３及び図５）の突出量，端子間幅等をほぼ同一になるようにして設け、接続管４との接続を可能としている。これにより、複数の電動式の吸口を用途に合わせて交換でき、掃除の作業性を向上させることができる。
【００１８】
従来、電動機等を用いた吸口として、床用や寝具用などが提案されているが、いずれも専用の掃除機本体が必要であり、この吸口を接続するための電気掃除機を複数設けなければならず、複数台分の電気掃除機の収納スペースを必要としていた。つまり、フローリングやじゅうたんなどを掃除する場合は、電動式の床用吸口を搭載した本体を用い、ベッドやふとんなどを掃除する場合は、電動寝具用吸口を搭載した本体を用いなければならなかった。
【００１９】
したがって、使用者は床用や寝具用など用途にあった掃除状態にするため、持ち運びや収納庫や押入れからの出し入れが面倒であったり、簡単に取り替えることができなかった。また、掃除中の部屋の中に掃除機が複数台あると片方が掃除の邪魔になったりするなどの問題があった。
【００２０】
また、電動機を内蔵した床用吸口を用いて、ふとん等の寝具類を掃除しようとすると、ふとんが吸口に吸い付いてしまい、操作が重くて使いづらいという問題があり、それに加え回転清掃体を駆動する電動機のＯＮ・ＯＦＦする安全スイッチが頻繁に動作するため作業性が悪いなどの問題があった。さらに、回転清掃体ブラシによってふとん生地や綿を傷める心配がある。
【００２１】
また、リビングやキッチン、あるいはトイレなどを掃除した後に同じ吸口で掃除することについて、使用者は衛生面上で抵抗があった。
【００２２】
本実施例では、電動機等の電気駆動手段を備えた床用吸口５０及び寝具用吸口１５をそれぞれ接続管４に着脱自在に接続可能とし、同一の電気掃除機で使用することが出来るため、掃除の場所，被掃除面の種類等、掃除環境に合わせ、電気掃除機ごと交換するような煩わしさがない。また、電動床用吸口５０と電動寝具用吸口１５を用途に分けて使用するため衛生的にも問題は無い。
【００２３】
図２を用いて手元操作部３を説明する。手元操作部３には、図２に示すように複数の吸口５０に設けられた電気駆動手段の運転制御を兼用する第一のスイッチ手段５１と、電動送風機（図示せず）の運転を制御する第二のスイッチ手段５２とを設けている。本実施例では、第二のスイッチ手段５２は、電動送風機を強運転もしくは弱運転に切り替える強／弱スイッチ５３と、電動送風機を強運転と弱運転の間の中間運転に切り替える標準スイッチ５４と、電動送風機の運転を停止させる切スイッチ５５の３つのスイッチを有している。強／弱スイッチ５３もしくは標準スイッチ５４の一方のスイッチを押すことで、掃除機本体１の電動送風機は起動される。電動送風機の起動により被掃除面の塵埃は、吸口５から吸引され、接続管４，手元操作部３，ホース２に形成された空気通路を経由して掃除機本体１内の集塵部（図示せず）に搬送される。また、強／弱スイッチ５３を一回押したとき、吸い込みは強モードとなり、２回目に押したときは弱モードとなる。標準スイッチ５４を一回押したときには、吸い込みは標準モードとなる。標準モードから強／弱スイッチ５３を押したときも同様で、強／弱スイッチ５３を一回押したとき、吸い込みは強モードとなり、２回目に押したときは弱モードとなる。また、強モードもしくは弱モードから標準スイッチ５４を押したときには、モードは標準モードとなる。各モードは、電動送風機に供給される電力で調整され、強モード，標準モード，弱モードの順に供給される電力は小さくなっている。切スイッチ５５を押すと電動送風機が停止すると共に吸口５に供給されていた電力も供給が停止され、吸口の電気駆動手段が停止する。
【００２４】
第一のスイッチ手段５１は、手元操作部３を介して吸口５に供給される交流電圧を切り替えている。また、電動送風機が起動している状態で切り替えることが可能である。また、電動送風機を起動させた初期状態では、吸口５に交流電圧がかけられた状態となっている。床用吸口５０と寝具用吸口１５の動作状態は、この第一のスイッチ手段５１によりコントロールされる。
【００２５】
このように、床用吸口５０と寝具用吸口１５は、同一のスイッチを用いて動作させているため、作業者は容易に吸口を交換して、簡単に操作し掃除することが出来る。
【００２６】
本実施例では、スイッチの数を第一のスイッチ手段５１，第二のスイッチ手段５２（強／弱スイッチ５３，標準スイッチ５４，切スイッチ５５）の４つとしたが、スイッチ数はいくつでも構わない。また、本実施例では押しボタン式のスイッチを使用しているが、スイッチの形状はどのようなものでもかまわない。
【００２７】
図３〜図５を用いて、床用吸口５０の構成について説明する。床用吸口５０は吸口上ケース６と、下面に開口部を形成した吸口下ケース７により外郭が構成され、床用吸口５０内部には、回転清掃体７１と回転清掃体７１を駆動する電気駆動手段としての電動機１４を備える。
【００２８】
電動機１４の駆動力は電動機側プーリー７２からシャフト７３の一端に設けられた大プーリー７４にベルト（図示せず）を介してシャフト７３に伝達される。シャフト７３に伝達された駆動力はシャフト７３の他端に設けられた小プーリー７５に伝達され、小プーリー７５からベルト（図示せず）を介して回転清掃体７１の端部に伝達される。これにより、回転清掃体７１は電動機１４により駆動される。
【００２９】
床用吸口５０の後方には、左右（幅）方向の中央部に位置して自在継手管８が接続され、自在継手管８の端子１２には、手元操作部３を介して本体から交流電力が供給される。この自在継手管８は、一端が床用吸口５０に回動可能に接続され、被掃除面に対して略水平な状態から略垂直な状態まで回動可能な第１の接続管６３と、一端が第１の接続管６３の他端に回動可能に接続され、床用吸口５０に対し左右方向に回動可能な第２の接続管６４を有する。第２の接続管６４の他端には接続管４が接続される。この自在継手管８は、接続管４を被掃除面に対して略垂直とした状態において、その接続管４を床用吸口５０の左右方向に向かって倒すことができる機能を有している。このため、手元操作部３左右方向の何れかに捻ることで、床用吸口５０を左右方向の何れかに略９０度回転させ、床用吸口５０の左右方向を移動方向にした掃除が可能であり、壁際に沿って床用吸口５０を移動させたり、狭い隙間に床用吸口５０を挿入して掃除することが可能となっている。
【００３０】
図５に示すように、端子１２に供給された交流電力は、過電流防止用のポジスタ１３を介して整流子内蔵の電動機１４に供給され、電動機１４を駆動させる。電動機１４により発生した駆動力は、床用吸口５０に内蔵する回転清掃体７１を駆動させる。
【００３１】
また、電気回路にはマイクロスイッチ６０が備え付けてある。これは、床用吸口が被掃除面から離れたときに停止させるためのもの、障害物などを巻き込んでしまう危険を防いでいる。
【００３２】
次に図６〜図１３を用いて寝具用吸口１５の構成を説明する。寝具用吸口１５は、上ケース１６，下ケース１７により外郭が構成され、これを前輪１８と後輪（図示せず）により支持する。下ケース１７の前縁は進行方向に対して、進行の妨げにならない形状になっている。上ケース１６，下ケース１７，前輪１８，後輪（図示せず）は合成樹脂で形成される。寝具用吸口１５も、床用吸口５０と同様に、自在継手管８の端子１２に、手元操作部３を介して本体から交流電力が供給される。
【００３３】
また、寝具用吸口１５と床用吸口５０は、同型の自在継手管８を備えている。寝具類などの掃除では、床にふとんを敷いて掃除機をかける場合や、ベット上の寝具類に掃除機をかける場合のほかに、ベランダにふとんを干した状態で掃除機をかける場合が考えられる。床にふとん敷いて掃除機をかける場合や、ベット上の寝具類では、接続管４を使用する場合や、手元操作部３に直接つける場合があり、自在継手管８の稼動域が大きいほうが望ましい。
【００３４】
特に、ベランダに干した状態で掃除機をかける場合、ベランダの外側のふとんには、ふとんに対して自在継手管８が、略水平な状態にして掃除機をかける必要がある。本実施例では、床用吸口５０と同型の自在継手管８を備えているので、自在継手管８を被掃除面略水平まで稼動させることができる。これにより、無理な姿勢をすることなく掃除機をかけることが出来る。
【００３５】
また、下ケース１７の底面は、前輪１８の最下点から２０mm程度高く設定している。これは、寝具等を掃除する際、前輪１８の最下点から下ケース１７の底面の距離が短いと、前縁に寝具がのめりこみ進まなくなるためである。
【００３６】
図７を用いて、寝具用吸口１５の内部構成を説明する。下ケース１７には、電気駆動手段としての電動機２６，カム付きギア２８，カム付きギア２８を挟むようにその両脇にばね２２が設置され、電動機カバー２１が装着される。電動機カバー２６の上から振動子２４と振動子ばね２３が挿入され、ばね押え１９により電動機カバー２１に固定される。下ケース１７の下面には、被掃除面に向かって開口し、ビータ４７を取り付けるための略四角形の開口部３２が形成されている。ビータ４７は、下ケース１７の被掃除面側から装着され、振動子２４と接合する。開口部３２の形状は、ビータ４７の形状に依存し、略円形状でも、多角形状であっても構わない。
【００３７】
図８に示すように、振動子２４の軸穴６１に軸３５が圧入される。この軸３５は、軸周りにローレット加工を施してあり、圧入後、軸３５が回らないようになっている。軸３５の圧入された振動子２４には、ワッシャ３６，軸受３７が挿入される。また、振動子２４が挿入される方向には、挿入方向（上下方向）に伸びたすべりリブ３８が設けられている。これは、振動子２４の上下運動を円滑に行うために設置しているものである。
【００３８】
図９はビータ４７を被掃除面から見た図である。ビータ４７は底面が矩形状の箱型をしており、多数の吸引口４４を設けている。ゴミはこの吸引口４４を通過し、掃除機本体１に搬送される。４３は取付部であり、振動子２４の固定爪３９（係合部）と係合することにより、ビータ４７を下ケース１７の開口部３２に取り付けている。また、ビータ４７の被掃除面は、長手方向に凹凸部４１を設け、波型に形成されている。これは、吸い込む流路を確保するためである。ビータ４７が振動していて、ふとんを叩く方向に運動しているときを考える。ビータ４７の底面は、平らで、ふとんに水平な面をなしている場合、ビータ４７上の吸引口４４は、ふとんによって一遍に塞がれてしまう。ところが、本実施例のようにビータ４７の底面に凹凸部４１があることで、徐々に吸引口４４は塞がれるため流路を確保しやすい。このため、集塵性能を高めることが出来る。また、徐々に吸引口４４にふとんが吸い付くので、操作性を向上させる効果もある。本実施例では、凹凸部４１を設けているが、他にもリブを立てる、ランダムに凹凸部を設ける、水平方向に凹凸部を設けるといった方法でも同様の効果が得られる。
【００３９】
また、ビータ４７は付け替えることが可能であり、接地面までの距離を調整することが可能である。それにより、被掃除面を叩く強さや、被掃除面とビータ４７上の吸引口４４の距離も調整できるので、固い寝具，やわらかい寝具のみならず、じゅうたんや、畳，ソファー，車のシート，カーテン等に対応させることが出来る。また、ビータ４７は洗浄することが可能であり、清掃面を常に清潔に保つことが出来る。
【００４０】
図１０を用いて寝具用吸口１５の電気回路を説明する。端子１２には、掃除機本体１から交流電圧が供給される。供給された交流電力は、過電流防止用のポジスタ１３を介して整流回路３４で全波整流され、電気駆動手段としての電動機２６を駆動させる。本実施例では電動機２６として、直流電動機を用いている。電動機２６により発生した駆動力は、前述したビータ４７を駆動させる。
【００４１】
ところで、寝具用吸口１５は、吸口が被掃除面から離れたら停止する、マイクロスイッチ６０のような安全のための機構は備えていない。それは、ビータ４７が下ケース１７の開口部３２のほぼ全面を覆うように配置されているので、障害物を挟み難い構造をなしているためである。
【００４２】
図１２に示すように、ピニオンギア２７とカム付きギア２８は減速機を構成し、電動機２６からの回転を減速している。本実施例では、ピニオンギア２７の歯数は８、カム付きギア２８の歯数は３９としており減速比を約５としている。ピニオンギア２７の歯数とカム付きギア２８の歯数は互いに素の関係になっている。これは、ギアの特定の歯同士が、繰り返し当たり磨耗するのを防ぐためである。また、カム付きギア２８は、上ケース１６や下ケース１７に使用した合成樹脂より硬いポリアセタール樹脂などの合成樹脂で形成される。
【００４３】
ピニオンギア２７ならびにカム付きギア２８は、平歯車であるが、はす歯歯車にすることで、動作音を低減することもできる。また、カム付きギア２８を内歯車にすることで、電動機２６とカム付きギア２８の回転軸の軸間を短くすることが出来、コンパクトに構成することが可能である。
【００４４】
カム付きギア２８は回転軸に、焼入れしたステンレス製の軸（図示せず）を圧入している。軸の軸周りには、ローレット加工がされていて、圧入された後、軸が回るのを防いでいる。カム付きギア２８に圧入された軸の両端には、回転を円滑にするためにワッシャ（図示せず），軸受（図示せず）を挿入している。また、回転軸に使用しているステンレス鋼は、マルテンサイト系であるが、これはカム付きギア２８にかかる衝撃荷重や繰り返し荷重のため、強度を考慮して焼入れの出来る材料を選定したためである。
【００４５】
カム付きギア２８のカム４８の形状は、角度毎に一定量半径方向に拡大させるハートカムを用いている。非連続部分は、鈍化させ滑らかな表面にしており、カム４８と軸受３７の衝突する音の発生を防いでいる。その他にカムの形状を変えて、振動させたい振幅，振動周期，振動パターンから任意に選択することできる。たとえば、切欠きカムを用いると、衝撃荷重をともなう振動を発生させることも可能である。また、カム４８は、外周上を案内面とする外周カムであるが、カムの内周を案内面とする内周カムでもかまわない。
【００４６】
図１２及び図１３を用いて、寝具用吸口１５にビータ４７を装着したときの動作を説明する。ビータ４７は、寝具用吸口１５から伸びる振動子２４の固定爪３９によって振動子２４と固定される。図１１に示すようにビータ４７のスライドリブ３３は、ばねケース２５のスリット４６を介してばね２２に支持される。ビータ４７は、被掃除面の方向に力を受けて、ビータ４７を固定している振動子２４を引っ張る。振動子２４は、振動子２４に圧入された軸３５まわりに回転可能に支持された軸受３７により、カム４８の円周上で支えられる。本実施例では、ビータ４７は、振動子２４，ばね２２により３点で支持される。振動子２４の固定位置は、略等しい両脇のばね２２の略中心上に位置し、下ケース１７の底面に対して水平に支持される。また、ばねは３つ以上であっても、振動子２４とビータ４７の固定位置を支点とする、モーメントのつりあいが成り立つように、ばねの位置を設置すればかまわない。
【００４７】
電動機２６からの回転は、ピニオンギア２７とカム付きギア２８より構成される減速機で減速されて伝達される。カム付きギア２８の回転に同期してカム４８は回転する。振動子２４のモータカバー２１側に圧入された軸３５周りを、回転可能な軸受３７は、カム４８の円周上を運動する。振動子２４は、被掃除面に垂直方向以外の運動を拘束されているため、図１１でカム４８の上支点に軸受３７が来たとき、振動子２４は持ち上げられる。ビータ４７は、振動子２４に取り付けられているため、モータカバー２１の両脇のばね２２を圧縮する。ビータ４７は、電動機２６の回転にともない、ばね２２の反発力により徐々に押し下げられる。図１２に示すカム４８の最下点で、軸受３７が下がりきり、電動機２６の回転により再びビータ４７は、両脇のばね２２の圧縮を開始する。これを繰り返すことによって上下運動を行っている。
【００４８】
ビータ４７は、上下運動にともない伝達された振動を被掃除面に伝達する。伝達された運動は、被掃除面のほこりやごみを舞い上がらせる。このことにより、ごみをはく離させやすくすることができる。したがって、この状態で、吸口が吸引を行えば集塵性能を向上させることが出来る。
【００４９】
また、寝具等の被掃除面を清掃する際、被掃除面が吸い付いてしまうことがある。このような場合も、ビータ４７に吸い付いたふとん等を、振動により振り払い操作力を低減させ掃除することが出来る。
【００５０】
また、カム４８は、ばね２２を圧縮して回転するため、被掃除面がビータ４７を押すと、カム４８の回転運動は助けられる方向にある。ビータ４７は清掃時、被掃除面から押される方向に力を受けているため、ビータ４７が被掃除面に引かれる力は、吸引力が発生させる吸い付き力のみになる。この吸い付き力は、ばね２２の発生させる力に比較して十分小さいため、カム４８は、ほぼばね力に抗する力だけで回転することが出来る。これにより、電動機２６がロックしにくい機構を構成できるので、電動機２６の負荷を低減し寿命を延ばすことが出来る。
【００５１】
以上説明したように、本実施例によれば、電動床用吸口５０と、電動寝具用吸口１５を同一の本体で使用することが出来るため、本体ごと交換するような煩わしさは無い。また、電動床用吸口５０と電動寝具用吸口１５を分けて使用するため衛生的にも問題は無い。
【００５２】
また、本実施例によれば、電動式の吸口５０と電動式の寝具用吸口１５で、同一のスイッチを用いて動作させているため作業者は容易に電動吸口を交換して掃除することが出来る。
【００５３】
また、本実施例では本体が交流電力で駆動するため、吸口５に供給される電力として交流電力を使用したが、コードレス掃除機のようにバッテリーによる直流電力で駆動するものや、掃除機本体１内に整流回路を備え、吸口に直流電力を供給するものであってもよい。
【００５４】
また、本実施例では、寝具用吸口１５に電動機２６を用いた例を示したが、電動機以外であっても構わない。例えば、電気駆動手段として電磁石の原理を利用したソレノイドを用いるようにしてもよい。
【符号の説明】
【００５５】
１  掃除機本体
２  ホース
３  手元操作部
４  接続管
５  吸口
１５  寝具用吸口
５０  床用吸口
【図１】
2010227636.tif 000003
【図２】
2010227636.tif 000004
【図３】
2010227636.tif 000005
【図４】
2010227636.tif 000006
【図５】
2010227636.tif 000007
【図６】
2010227636.tif 000008
【図７】
2010227636.tif 000009
【図８】
2010227636.tif 000010
【図９】
2010227636.tif 000011
【図１０】
2010227636.tif 000012
【図１１】
2010227636.tif 000013
【図１２】
2010227636.tif 000014
【図１３】
2010227636.tif 000015